(57)【特許請求の範囲】
【請求項１】
撮影対象である被写体の光学像を結像する光学手段と、該光学手段で結像された被写体像を撮影し光電変換することにより撮像信号を生成する撮像手段と、被写体に対し光を照射する閃光発光手段と、前記撮像手段における露光条件を特定する露光条件特定手段と、該露光条件特定手段で特定された露光条件により前記撮像手段で別々に２回撮影した２つの撮像信号を合成する撮像信号合成手段と、前記２回の撮影の際に各撮影に関する露光条件に連係して前記閃光発光手段の発光を制御する閃光発光制御手段とを有し、前記閃光発光手段は該閃光発光手段の発光エネルギーを蓄積する複数の電荷蓄積手段を備え、前記閃光発光制御手段は、前記２回の撮影において、前記複数の電荷蓄積手段をそれぞれ使用する合計の容量値を異にするように選択的に用いて前記閃光発光手段の発光を制御することを特徴とする電子カメラ。
【請求項２】
前記露光条件特定手段は、前記撮像手段の光電荷蓄積を制御して露光量を任意に制御する電子シャッタ手段、及び前記撮像手段の受光面を遮光する遮光手段の少なくともいずれか一方を有し、前記２回の撮影における前記閃光発光手段からの光以外の通常光による露光量比と、前記閃光発光手段からの光による発光量比とを等しくするように、前記電子シャッタ手段及び前記遮光手段の少なくともいずれか一方と前記閃光発光手段を制御することを特徴とする請求項１記載の電子カメラ。
【請求項３】
更に測光手段を備え、前記閃光発光制御手段は、前記測光手段による測光結果に基づいて、前記閃光発光手段の発光を制御することを特徴とする請求項１記載の電子カメラ。
【請求項４】
前記閃光発光制御手段は、前記２回の撮影のうちの１回目の撮影における測光結果に基づいて、前記２回の撮影のうちの２回目の撮影における前記閃光発光手段の発光を制御することを特徴とする請求項３記載の電子カメラ。
【請求項５】
更に測距手段を備え、前記閃光発光制御手段は、前記測距手段による測距結果に基づいて、前記閃光発光手段の発光を制御することを特徴とする請求項３又は４記載の電子カメラ。
【発明の詳細な説明】
【０００１】
【発明の属する技術分野】
この発明は、単一の撮像素子から露光量の異なる複数の撮像信号を生成し合成することにより、広ダイナミックレンジ画像を得るようにした電子カメラ（デジタルスチルカメラと呼ばれている）に関し、特に閃光発光手段を併用した場合に高精度の広ダイナミックレンジ画像が得られるようにした電子カメラに関する。
【０００２】
【従来の技術】
一般に、テレビカメラ、ビデオカメラ、電子カメラ等の撮像装置においては、ＣＣＤ撮像素子等の固体撮像素子が用いられているが、固体撮像素子は高輝度に対しては飽和しやすく、一方低輝度に対しては低Ｓ／Ｎのため、銀塩写真フィルムに比べてダイナミックレンジは極めて狭いという問題点がある。
【０００３】
従来、この問題点を解消するため、単一の撮像素子から露光量の異なる２つの撮像信号を読み出し、合成を行うことによって拡大されたダイナミックレンジを有する画像を得る手法が提案されており、例えば特開平４−２０７５８１号公報には、次のような構成のものが開示されている。
【０００４】
すなわち、光情報を光電変換する複数の受光素子からなる受光部と、該受光部からの信号を転送する手段とを有する撮像素子を備え、前記受光部で第１露光を行い、該第１露光による信号を前記転送手段に送った後、直ちに前記第１露光より露光時間が長い第２露光を開始し、前記第１露光による信号を撮像素子より出力した後、前記第２露光による信号を前記転送手段に送り、第２露光による信号を撮像素子より出力させるようにし、これにより第１露光による信号を撮像素子から出力させる期間に、第２露光を行い、複数回の露光による撮像時間のずれを小さくした２つの撮像信号を生成し、これを合成して広ダイナミックレンジの合成画像を得るようにしたものが開示されている。また、この際、第１露光時間を、受光部から転送手段へ露光による信号を送る動作で制御し、すなわち電子シャッタ機能で制御し、第２露光時間を撮像素子の露光時間を制御する遮光手段で制御するようにし、第２露光時間を第１露光信号の転送動作とは独立して制御できるようにしたものについても、開示がなされている。
【０００５】
また、特開昭６２−１０８６７８号公報には、露光量の異なる２つの撮像信号を合成して広ダイナミックレンジ画像を得る際に、一方の撮像信号は自然光のみで撮影し、他方の撮像信号はストロボ光を用いて撮影して生成し、これらの撮像信号を比較して大きい信号部分を出力させ、合成画像を得るようにした手法が開示されている。
【０００６】
【発明が解決しようとする課題】
ところで、被写体の輝度が低レベルの場合、ストロボ光を併用して撮影が行われるが、露光量の異なる２つの撮像信号を合成して広ダイナミックレンジの合成画像を形成する場合に、一方の撮像信号は自然光のみで、他方の撮像信号はストロボ光を併用して生成し、得られた２つの撮像信号を単に合成しようとすると、ストロボ光はもともとばらつきが大きいので、露光時間を定めて発光させても、２つの撮像信号が予め定められた露光量比となるように高精度で対応させることは困難である。また、ストロボ光を用いた場合、画面内でストロボ光が当たった部分では、自然光のみでの撮影による撮像信号に対して所定の露光量比の撮像信号を得ることはできるが、ストロボ光が到達しない部分では、自然光のみで撮影したときと同じ露光量の撮像信号しか生成されず、所定の露光量比が得られないという問題点がある。更には、自然光による撮像信号とストロボ光による撮像信号とを合成する場合、それぞれホワイトバランスが異なる撮像信号なので、合成時には部分的に色バランスがくずれてしまうという問題点がある。
【０００７】
本発明は、露光量の異なる２つの撮像信号を生成し合成して広ダイナミックレンジ画像を得る機能を有する電子カメラにおいて、閃光発光を用いた場合における上記問題点を解消するためになされたもので、請求項１記載の発明は、閃光発光を用いた場合においても画面全体に亘って所定の露光量比となる撮像信号を容易に生成することができ、また画面全体に亘って均一なホワイトバランスのとれた広ダイナミックレンジの合成画像が得られるようにすると共に、閃光発光手段による発光量比（露光量比）を容易に制御できるようにした電子カメラを提供することを目的とする。また請求項２記載の発明は、閃光発光を用いた２回の撮影時において、通常光による露光が支配的な領域と、閃光発光による露光が支配的な領域の露光量比が変わらず、高画質の合成画像が得られるようにした電子カメラを提供することを目的とする。また請求項３記載の発明は、被写体の反射率に基づいて閃光発光手段による発光量比の精度を向上させることを可能にした電子カメラを提供することを目的とする。また請求項４記載の発明は、閃光発光手段による発光量比の設定の精度を一層改善することが可能な電子カメラを提供することを目的とする。また請求項５記載の発明は、閃光発光手段の特に小発光の発光量を精度よく設定することが可能な電子カメラを提供することを目的とする。
【０００８】
【課題を解決するための手段】
上記問題点を解決するため、請求項１記載の発明は、撮影対象である被写体の光学像を結像する光学手段と、該光学手段で結像された被写体像を撮影し光電変換することにより撮像信号を生成する撮像手段と、被写体に対し光を照射する閃光発光手段と、前記撮像手段における露光条件を特定する露光条件特定手段と、該露光条件特定手段で特定された露光条件により前記撮像手段で別々に２回撮影した２つの撮像信号を合成する撮像信号合成手段と、前記２回の撮影の際に各撮影に関する露光条件に連係して前記閃光発光手段の発光を制御する閃光発光制御手段とを有し、前記閃光発光手段は該閃光発光手段の発光エネルギーを蓄積する複数の電荷蓄積手段を備え、前記閃光発光制御手段は、前記２回の撮影において、前記複数の電荷蓄積手段をそれぞれ使用する合計の容量値を異にするように選択的に用いて前記閃光発光手段の発光を制御するようにして電子カメラを構成するものである。このように２回の撮影時にいずれも閃光発光を用いることにより、画面全体に亘って通常光による露光量比と閃光発光による発光量比とを同じにすることが可能となり、また合成画像におけるホワイトバランスも容易に均一化することが可能となり、更に、２回の撮影において、発光エネルギーを蓄積する複数の電荷蓄積手段をそれぞれ使用する合計の容量値を異にするように選択的に用いて閃光発光手段の発光を制御するようにしているので、同じ発光時間で必要とする発光量比を制御することが可能となり、制御を簡単にすることができる。
【０００９】
請求項２記載の発明は、請求項１記載の電子カメラにおいて、前記露光条件特定手段は、前記撮像手段の光電荷蓄積を制御して露光量を任意に制御する電子シャッタ手段、及び前記撮像手段の受光面を遮光する遮光手段の少なくともいずれか一方を有し、前記２回の撮影における前記閃光発光手段からの光以外の通常光による露光量比と、前記閃光発光手段からの光による発光量比とを等しくするように、前記電子シャッタ手段及び前記遮光手段の少なくともいずれか一方と前記閃光発光手段を制御することを特徴とするものである。このように構成することにより、２つの撮像信号において、通常光による露光が支配的な領域及び閃光発光手段の閃光発光による露光が支配的な領域における露光量比を等しくすることができ、画質を向上させた合成画像を得ることができる。
【００１０】
請求項３記載の発明は、請求項１記載の電子カメラにおいて、更に測光手段を備え、前記閃光発光制御手段は、前記測光手段による測光結果に基づいて、前記閃光発光手段の発光を制御することを特徴とするものである。このように構成することにより、測光手段で被写体の反射率に基づいた実際の発光量が得られ、発光量比の精度を向上させることができる。
【００１１】
請求項４記載の発明は、請求項３記載の電子カメラにおいて、前記閃光発光制御手段は、前記２回の撮影のうちの１回目の撮影における測光結果に基づいて、前記２回の撮影のうちの２回目の撮影における前記閃光発光手段の発光を制御することを特徴とするものである。このように構成することにより、１回目の閃光発光手段の発光のばらつきを吸収した発光量で２回目の閃光発光手段の発光ができ、これにより発光量比の設定の精度を改善することができる。
【００１２】
請求項５記載の発明は、請求項３又は４記載の電子カメラにおいて、更に測距手段を備え、前記閃光発光制御手段は、前記測距手段による測距結果に基づいて、前記閃光発光手段の発光を制御することを特徴とするものである。測光手段で実際の被写体の反射光を測光して発光量を制御する場合、その発光量を小さな値に制御するときには、やや精度がでないという問題があるが、上記のように測距手段を備え、距離情報により発光時間等を制御することにより、小発光の発光量を精度よく設定することができる。
【００１３】
【発明の実施の形態】
次に、実施の形態について説明する。まず、本発明を適用した電子カメラの第１の実施の形態の全体構成を、図１に示すブロック構成図に基づいて説明する。図１において、１は光信号を電気的な信号に光電変換する単板カラーＣＣＤ撮像素子で、電子シャッタ機能をもつものであり、該ＣＣＤ撮像素子１には、レンズ２及び絞り・シャッタ機構３を通って、被写体光が入力されるようになっている。ＣＣＤ撮像素子１の出力は、相関二重サンプリング回路等でノイズを除去されたのちアンプ４で増幅される。５はアナログデータであるアンプ４の出力をデジタルデータに変換するＡ／Ｄ変換器で、６はＣＣＤ撮像素子１からの信号を映像データとして処理するカメラ信号処理回路である。７は、本来の撮影に先立ってＣＣＤ撮像素子１からの撮像信号等を用いて、フォーカスを制御するＡＦ（オートフォーカス）情報を取り出すＡＦ検波回路、露出を制御するＡＥ（オートアイリス）情報を取り出すＡＥ検波回路及びホワイトバランスを設定するＡＷＢ（オートホワイトバランス）情報を取り出すＡＷＢ検波回路であり、このＡＦ，ＡＥ，ＡＷＢ検波回路７からの出力信号はＣＰＵ８を介して、レンズ２へＡＦ情報を、絞り・シャッタ機構３へＡＥ情報を、カメラ信号処理回路６へＡＷＢ情報を与えるようになっている。
【００１４】
９はデータ量を圧縮処理する圧縮回路（ＪＰＥＧ）で、該圧縮回路９で圧縮処理された画像データが、メモリカードＩ／Ｆ14を介してメモリカード15へ記録されるようになっている。10はメモリコントローラで、11はＤＲＡＭであり、これらは映像データの色処理等を行う際に作業用メモリとして用いられるものである。12は表示回路で、13はＬＣＤ表示部であり、これらはメモリカード15に記録されたデータを読み出し表示させ、撮影状態の確認などに用いられる。16はメモリカード15に記録されているデータをパソコン17へ転送するために用いるパソコンＩ／Ｆである。なお、図１において、18はＣＣＤ撮像素子１を駆動するタイミングパルスを発生するタイミングジェネレータであり、ＣＰＵ８の制御にしたがってＣＣＤ撮像素子１を駆動するものである。19はストロボ機構で、本来の撮影に先立って得られるＡＥ情報により、ＣＰＵ８を介して制御され、ストロボ発光をする／しないの制御及びストロボ発光の光量制御が行われる。20はＣＰＵの入力キーで、各種撮影モードの設定、トリガースイッチの駆動等が行えるようになっている。
【００１５】
次に、上記の構成の電子カメラの動作の概要について説明する。ＣＣＤ撮像素子１を用いて異なる露光条件の２回の撮影により生成された撮像信号は、それぞれＡ／Ｄ変換器５でデジタル信号に変換され、カメラ信号処理回路６により所定の信号処理が行われたのち、一旦ＤＲＡＭ11に画像データとして記憶される。次に、ＣＰＵ８による制御に従って、上記２つの画像データのうち露光量の少ない画像データからは被写体の高輝度領域の画像データが選択され、露光量の多い画像データからは被写体の低輝度領域の画像データが選択され、該選択された両画像データを用いて所定の合成演算処理が行われることにより、全体として広ダイナミックレンジの単一の合成画像データが得られる。該合成画像データは圧縮回路９において圧縮処理され、メモリカード15へ記録される。
【００１６】
次に、図１に示した第１の実施の形態におけるストロボ機構19の概略構成を図２に基づいて説明する。図２において、21はキセノン発光管、22は該キセノン発光管21へ発光エネルギーを供給する発光制御回路、23はキセノン発光管の発光エネルギーを蓄積する電荷蓄積手段であり、該電荷蓄積手段23には電源25から充電回路24を介して充電が行われるようになっている。そして、この充電回路24を介した電荷蓄積手段23への充電は、電荷蓄積手段23を構成するメインコンデンサの充電電圧を監視しているＣＰＵ８からの制御信号により制御され、充電電圧は一定電圧になるように制御されており、一定電圧に達した時点で充電動作が完了するようになっている。一方、キセノン発光管21の発光開始及び発光停止動作は、発光制御回路22へ外部入力キーの操作によりＣＰＵ８を介して制御信号を出力させることにより行われる。
【００１７】
上記電荷蓄積手段23としては、図３の（Ａ）に示すように、単一のメインコンデンサ23−１で構成したものばかりでなく、図３の（Ｂ）に示すように、メインコンデンサ23−1a，23−1b，23−1c，23−1d，・・・を複数個並列に接続して構成したものを用いることができる。なお、各メインコンデンサの容量はそれぞれ同じ場合と異なる場合がある。以下、次に述べる各実施の形態における電荷蓄積手段としては、特にことわらない限り、図３の（Ａ），（Ｂ）に示す構成のものが選択的に用いられるものとする。
【００１８】
次に、本発明に係る電子カメラの基本的な第１の実施の形態の動作を、図４に示すフローチャートに基づいて説明する。この実施の形態においては、１個の電荷蓄積手段により、２回の撮影時における２回の発光の発光量を設定して（ステップ101 ）、２回の撮影時にそれぞれ発光を行わせるものである。その際、２回の発光とも正確に発光量を数値的に設定し、その合計が１個の電荷蓄積手段の容量に対応する発光量内に収まるようにしてもよいし、２回の発光量の合計が１個の電荷蓄積手段の容量値に対応する範囲内に入るように制約を設けるだけでもよい。その設定後、１回目の撮影におけるストロボ発光と（ステップ102 ）、２回目の撮影におけるストロボ発光を行って（ステップ103 ）、２つの撮像信号を生成する。
【００１９】
なお、上記２回の撮影時における２回の発光量の設定は、本来の撮影に先立ってＣＣＤ撮像素子から得られる撮像信号を用いてＡＥ検波回路を介して出力されるＡＥ情報、すなわちプリ測光情報を用いて、２回のキセノン発光管の発光量を設定するようにしてもよい。このように実際の被写体の明るさに対応するプリ測光情報を用いることにより、被写体の明るさに応じた光量の発光量を設定することができる。また、ストロボ発光をする／しないの制御及びストロボ発光の光量制御を行うためのＡＥ情報（プリ測光情報）は撮像信号の代わりに、外部測光素子を設けて、該外部測光素子からの積分情報を用いてもよい。更に、本来の撮影に先立って、ストロボ機構19においてプリ発光を行わせ、その際ＣＣＤ撮像素子あるいは外部測光素子から得られる被写体情報をプリ測光情報とし、このプリ測光情報を用いて、発光量の設定を行わせることもできる。これにより、実際のストロボ機構の発光を伴ったプリ測光情報に基づいて発光量を設定できるので、より高精度の発光量を設定することができる。
【００２０】
このように、発光量を設定して２回の発光を行わせることにより、２回の撮影において１つの電荷蓄積手段の充電電荷を有効に利用して、２回の発光を行わせることができる。そして、上記２回の発光を行わせるとき、発光量比を１：１に設定して２回の各発光量を同じにする場合、あるいは発光量比を１：Ｎ（Ｎは任意の実数）で設定し、２回の各発光量を変えて設定する場合とがあり、発光量比を１：Ｎとする場合には、１回目及び又は２回目の発光を複数回に分けて行わせて、１：Ｎの発光量比を得るようにしてもよい。各発光を複数回の単位発光の集合で行う場合は、各単位発光の発光量を一定にすることによって、発光単位数の比で必要とする任意の発光量比となり、発光量比の管理が容易になる。
【００２１】
また、更に発光量測定手段を設けて、複数の単位発光の集合の中の各単位発光毎に発光量を測定し、合計の発光量を調整制御することで精度のよい発光量比を得ることができる。
【００２２】
同様に、電荷蓄積手段を構成するメインコンデンサにおいて、各メインコンデンサの容量を同じにして、１回目及び２回目のそれぞれに使用するメインコンデンサ数の比を、発光量比（露光量比）と等しくすれば、同じ発光時間で必要とする発光量比を制御することができるので、制御が簡単になる。以上においては、メインコンデンサを１単位として説明したが、メインコンデンサの代わりに、そのいくつかの集合体である電荷蓄積手段を１単位としても、同様の効果が得られる。
【００２３】
ところで、ストロボ発光の発光量比を変えて２回の撮影を行ったとき、ストロボ発光を用いた撮影により得られた撮影画像の中で、ストロボ光が届いていない部分、つまり通常光のみで露光されている部分と、ストロボ光が当たって露光された部分とにおいて、２回の撮影で得られた撮影画像の露光量比が変わってしまい、合成画像の画質が劣化してしまう問題が生じる。
【００２４】
そこで、この問題点を解決するように構成したのが、次に説明する第２の実施の形態である。この第２の実施の形態では、通常光のみで撮影された部分の２回の撮影の露光量比と、２回の撮影時におけるストロボ光の発光量比とを等しく設定するものである。すなわち、ストロボ光が届かない通常光による露光が支配的な領域における２回の撮影による露光量比と、ストロボ光による露光が支配的な領域における２回の撮影による発光量比（露光量比）を等しくするものであり、これにより画質を向上させた合成画像を得ることができる。
【００２５】
このように、通常光の露光量比とストロボ光の発光量比とを等しくして２回の撮影を行う際、２回の撮影時における通常光による露光量比は、２回の撮影時における撮像素子の光電荷蓄積時間比で設定するように構成する。これにより通常光による露光量比を容易に設定することができる。
【００２６】
一方、２回の撮影時におけるストロボ光の発光量比は、ストロボ光の発光時間を変えて設定する。すなわち、ストロボの発光量比と発光時間との関係は、予め実験的に求められているので、その関係を示すテーブルを内蔵させておいて、それを利用することによって発光量比を発光時間の設定により容易に設定することができる。また発光量比は、実際の発光量又は電荷蓄積手段の電圧値を測定し、その測定結果に基づいて所定の発光量比となるように発光を制御するようにして設定してもよい。
【００２７】
また、このように発光時間を変えて、あるいは実際に測定する発光量又は電荷蓄積手段の電圧値を定めてストロボ光の発光量比を設定する場合には、１回目に小発光を用い、２回目に大発光を用いて撮影を行うように設定する。つまり短時間露光を先に、長時間露光を後に行うと、それぞれの発光が電荷蓄積手段を構成するメインコンデンサの充電電圧が高い状態からスタートさせることができるので、より制御しやすく、比較的精度よく発光量比を制御することができる。これに反し、１回目の撮影に大発光を用いると、２回の発光時における電荷蓄積手段を構成するメインコンデンサの充電電圧値の差が大きくなって、発光量比の制御がしづらくなる。
【００２８】
また、小発光と大発光の２回の発光は、図２に示す基本構成のように、単一のキセノン発光管と単一の電荷蓄積手段とを用いて行うことができるが、図５に示すように、小発光と大発光に対してそれぞれ専用のキセノン発光管21ａ，21ｂを設けて、単一の電荷蓄積手段23に対してキセノン発光管切替え手段30とそれぞれの発光制御回路22ａ，22ｂを介して発光させるように構成することもできる。単一のキセノン発光管を用いて２回連続して発光させる場合には、２回の発光に相互に影響が現れる場合が生じ、２回の発光間隔を広げるなどの制約を設ける等の対策が必要となるが、上記のように専用のキセノン発光管を用いることにより、２回の連続発光の相互影響が全くなくなり、それぞれ高精度の発光量で発光させることができる。なお、キセノン発光管は２つに限らず、３個以上配置してその中から１つ又は複数のキセノン発光管を選択的に使用するように構成してもよい。
【００２９】
以上の各実施の形態では、２回の閃光発光の各発光時にそれぞれ単一の電荷蓄積手段の充電電荷の一部を使い、それぞれの発光が所定の発光量比となるように設定していた。しかしながら、例えば、キセノン発光管は発光開始可能な電圧範囲は限られており、２回の発光を同じ電荷蓄積手段で行うためには、１回目の発光量に制約を設けて、２回目の発光開始時の電荷蓄積手段を構成するメインコンデンサの電圧がキセノン発光管発光可能電圧以上に保持する必要がある。また、ストロボ発光においては、メインコンデンサに蓄積されている充電電荷を１回の発光動作で全て使い切るフル発光が、簡単な構成で高精度に制御できる。よって、第３の実施の形態においては、上記小発光と大発光とを、それぞれ専用の１つ又は複数の電荷蓄積手段を用いて発光させるように構成するものである。このように、各発光に専用の電荷蓄積手段を用いることにより、上記制約は必要なくなり、また専用の電荷蓄積手段をもつことにより、２回の撮影時における少なくともいずれか１回の発光をフル発光させることができ、精度を向上させることができる。すなわち、２回の発光（小発光及び大発光）をいずれも発光時間の制御などにより発光量を制御（調光）して撮影を行うばかりでなく、いずれか一方の発光（小発光又は大発光）をフル発光とし他方の発光（大発光又は小発光）を発光時間の制御などで発光量を制御して撮影を行うことができる。また両方の発光ともフル発光とし、極めて高精度な発光量比で撮影を行うことができる。
【００３０】
このように各発光に専用の電荷蓄積手段を用いる場合、図６に示すように、２つのキセノン発光管21ａ，21ｂを設け、発光制御回路22ａ，22ｂを介してそれぞれ別個の電荷蓄積手段23ａ，23ｂを組み合わせ、小発光及び大発光に対応させるように構成する場合と、図７に示すように、１個のキセノン発光管21に対して２つの電荷蓄積手段23ａ，23ｂを、切り替えスイッチ26を介して切り替えて用いるようにした構成とすることもできる。このように単一のキセノン発光管を共用する場合は、回路規模の縮小化を図ることができる。
【００３１】
上記図６及び図７には、２つのキセノン発光管と２つの電荷蓄積手段とを、発光制御回路を介して組み合わせたもの、あるいは１個のキセノン発光管と２つのキセノン発光管とを、発光制御回路と切り替えスイッチを介して組み合わせたものとを示したが、小発光と大発光とを、それぞれ任意のキセノン発光管と任意の電荷蓄積手段とを組み合わせて行うように構成してもよい。例えば、図８に示すように、複数の電荷蓄積手段の中の一部のみが１個のキセノン発光管に接続することができるようにした構成としてもよい。すなわち、２つのキセノン発光管21ａ，21ｂと、４つの電荷蓄積手段23ａ，23ｂ，23ｃ，23ｄとを用い、２つの電荷蓄積手段23ａ，23ｂは電荷蓄積手段切り替えスイッチ26ａと発光制御回路22ａを介してキセノン発光管21ａへ接続し、残りの２つの電荷蓄積手段23ｃ，23ｄは電荷蓄積手段切り替えスイッチ26ｂと発光制御回路22ｂを介してキセノン発光管21ｂへ接続し、キセノン発光管と任意の電荷蓄積手段とを組み合わせて、それぞれ発光するように構成してもよい。
【００３２】
また、図９に示すように、複数のキセノン発光管の中の一部のみが１つの電荷蓄積手段に接続することが可能なような構成としてもよい。すなわち、例えば４つのキセノン発光管21ａ，21ｂ，21ｃ，21ｄと、２つの電荷蓄積手段23ａ，23ｂとを備え、キセノン発光管21ａ，21ｂにはそれぞれ発光制御回路22ａ，22ｂと、キセノン発光管切り替えスイッチ30ａを介して電荷蓄積手段23ａと接続し、キセノン発光管21ｃ，21ｄにはそれぞれ発光制御回路22ｃ，22ｄと、キセノン発光管切り替えスイッチ30ｂを介して電荷蓄積手段23ｂと接続し、キセノン発光管21ａ，21ｂのいずれか及びキセノン発光管21ｃ，21ｄのいずれかを選択的に発光させるように構成してもよい。
【００３３】
また、図10に示すように、複数のキセノン発光管のうちのどのキセノン発光管と複数の電荷蓄積手段のうちのどの電荷蓄積手段とも任意に組み合わせることが可能な構成としてもよい。すなわち、例えば４つのキセノン発光管21ａ，21ｂ，21ｃ，21ｄと４つの電荷蓄積手段23ａ，23ｂ，23ｃ，23ｄとを備え、各キセノン発光管には、それぞれ発光制御回路22ａ，22ｂ，22ｃ，22ｄと、キセノン発光管切り替えスイッチ30と電荷蓄積手段切り替えスイッチ26とを介して、４つの電荷蓄積手段を接続し、各キセノン発光管をいずれの電荷蓄積手段にも任意に選択接続できるような構成としてもよい。
【００３４】
更に、図11に示すように、複数のキセノン発光管と複数の電荷蓄積手段との組み合わせを特定して限定した場合においても、その組み合わせを３つ以上用意し、小発光用に対応するものと大発光用に対応するものを限定せず、上記３つ以上の組み合わせの中から小発光用及び大発光用の組み合わせをそれぞれ選択的に用いるような構成としてもよい。すなわち、例えば４つのキセノン発光管21ａ，21ｂ，21ｃ，21ｄと４つの電荷蓄積手段23ａ，23ｂ，23ｃ，23ｄとを用意し、各キセノン発光管をそれぞれ発光制御回路22ａ，22ｂ，22ｃ，22ｄを介して各電荷蓄積手段にそれぞれ接続し、発光制御回路をＣＰＵからの制御信号により制御してキセノン発光管を選択的に発光するような構成としてもよい。
【００３５】
次に、第４の実施の形態について説明する。ストロボ光を用いて２つの露光量の異なる撮像信号を生成する場合、上記のように予め設定された発光量比となるようにストロボ光の発光量の調整が行われるが、その際、実際の発光量を測光するダイレクト測光という手法を用いると、被写体の反射率に基づいた発光量が得られ、発光量比の精度を向上させることができる。
【００３６】
すなわち、図12に示すように、外部測光素子27と該測光素子27による測光量を積分する積分回路28とを設け、ＣＰＵ８よりの制御信号により、発光及び積分を開始し、該積分回路28の測光積分出力を発光制御回路22に入力して、キセノン発光管21の発光開始と発光停止のタイミングを制御するように構成されている。他の方法として、積分回路28の積分出力をＣＰＵ８に入力し、キセノン発光管21の発光開始及び発光停止のタイミングをＣＰＵ８からの制御信号に従って行ってもよい。次に、このように構成されている第４の実施の形態におけるストロボ発光の制御動作を、図13に示すフローチャートに基づいて説明する。まず、外部測光素子27のダイレクト測光開始動作の制御が行われる（ステップ201 ）。次いで、キセノン発光管によるストロボ発光開始動作の制御が行われ（ステップ202 ）、積分回路28において測光素子27の測光値の積分動作が行われる（ステップ203 ）。そして積分測光値に対応する積分電圧値が予め設定された発光量に対応する閾値電圧と比較されて比較検出信号が出力され（ステップ204 ）、その出力により積分電圧値が閾値電圧より上か下かの判断がなされる（ステップ205 ）。積分電圧値が閾値電圧より上と判断されると、発光制御回路22へ発光停止信号が送出され、キセノン発光管21の発光終了制御が行われ（ステップ206 ）、次いで、測光素子27のダイレクト測光動作終了制御がなされる（ステップ207 ）。
【００３７】
ところで、このように実際の被写体の反射光を測光して発光量を制御する場合において、その発光量を小さな値に制御する場合には、やや精度がでないという問題点がある。第５の実施の形態は、この問題点を解消するためになされたもので、図14に示すように、別個に距離情報を得るための測距素子29を設けて、距離情報をＣＰＵ８に与えてやることにより、高精度で発光量の絶対値を設定することができる。また特に、小さい方の発光をその距離情報に基づいて制御し、更に精度よく小発光量を設定することができる。すなわち、被写体までの距離に応じて最適な発光量が予め実験的に定められているので、距離情報を得ることにより発光時間等の制御によって、小発光の発光量を精度よく設定することができる。
【００３８】
次に、第６の実施の形態について説明する。この実施の形態は、図15に示すように、１回目の撮影時のストロボ光の発光量を、外部測光素子27と積分回路28を用いてダイレクト測光により測定し、その測定結果をフィードバックして、２回目のストロボ光の発光量を決定するように構成するものであり、これにより１回目のストロボ光の発光量のばらつきを吸収した発光量で２回目のストロボ光の発光ができるので、これによっても発光量比の設定の精度を改善することができる。この際の２回目のストロボ光の発光量は、発光時間又は電荷蓄積手段の電圧で制御してもよいし、また１回目のストロボ光の発光と同様に測光素子によりダイレクト測光を行って制御してもよい。
【００３９】
次に、第６の実施の形態の動作を、図16に示すフローチャートに基づいて更に詳細に説明する。まず、外部測光素子27によるダイレクト測光の開始制御を行う（ステップ301 ）。次いで、１回目のキセノン発光管21によるストロボ発光の制御（調光制御）を開始し、キセノン発光管の発光時間の制御、あるいは積分回路28の積分電圧の変化の検出、更には電荷蓄積手段を構成するメインコンデンサの充電電圧の変化の検出などにより、キセノン発光管によるストロボ発光を終了する（ステップ302 ）。しかし、キセノン発光管21は発光停止制御後の短期間に引き続き発光を続ける余剰発光特性を持つので、発光停止制御後にも更に測光素子27のダイレクト測光を続ける。タイマーにより定めた任意の時間が経過し発光がほぼ終了した時点で、あるいは積分回路28の積分電圧がほぼ一定になった時点で、更には電荷蓄積手段を構成するメインコンデンサの充電電圧がほぼ一定になった時点などで発光終了を検出する（ステップ303 ）。次いで、測光素子27のダイレクト測光動作の終了制御を行い（ステップ304 ）、積分回路の最終積分電圧値を検出する（ステップ305 ）。次いで、その検出値に基づいて２回目のキセノン発光管によるストロボ発光量の設定を行い（ステップ306 ）、２回目のキセノン発光管によるストロボ発光制御を行う（ステップ307 ）。
【００４０】
次に、第７の実施の形態について説明する。先に、２回の撮影時における２回のストロボ発光量を、１個の電荷蓄積手段の容量に対応する発光量に収まるように、２回の発光量の比率を定めて発光させる手法を示したが、予めそのような設定を行わないで、１回目の発光エネルギー量の測定に基づいて２回目の発光量を設定する場合、設定された２回目の発光の発光量に対して電荷蓄積手段の充電電荷量の残量が不足になって、本来設定されるべき発光量比が得られなくなる状態が生じる場合がある。本実施の形態は、このような状態が生じた場合でも、通常光による露光量比とストロボ光の発光量比を等しく設定できるようにするものである。
【００４１】
この実施の形態は、図17に示すように、１回目の撮影後の電荷蓄積手段23の残留電圧をＣＰＵ８へ入力し、この電圧に基づく２回目の発光が予め設定された発光量比より少なくなる場合には２回目の発光はそのまま行い、新たに設定される発光量比に基づく新たな露出量比で２回目の露光量を制御する。２回目の露光量の設定はＣＰＵ８よりシャッタ３を制御して行う。電荷蓄積手段23の残留電圧の過不足判断は、ＣＰＵ８内に予め用意した、発光量とコンデンサ電圧の対応データに基づいて行う。残留の電荷蓄積手段電圧が予め設定された２回目の発光量に対応するコンデンサ電圧より小さい場合には、不足と判断する。あるいは１回目の発光の前と後で電荷蓄積手段23の電圧を測り、その値をＣＰＵ８に入力し所定の演算を実行することにより、１回目の発光の前と後の電圧の差に対応したエネルギー量と残留電圧（１回目の発光の後の電圧）に基づく発光に対応したエネルギー量の比を求め、該エネルギー量比と予めＣＰＵ８により設定された発光量比を比較して、エネルギー量の比が小さい場合に不足と判断してもよい。
【００４２】
次に、第７の実施の形態の動作を図18に示すフローチャートに基づいて詳細に説明する。まず、１回目の撮影におけるストロボ光の発光が行われる。２回目の発光量は、予め定めた任意の値に設定される。あるいは測光素子を用いて行った１回目の発光のダイレクト測光による発光量に基づいて算出される（ステップ401 ）。次に、１回目の発光後の電荷蓄積手段の充電電荷の残量値を、電荷蓄積手段の電圧出力などにより測定し（ステップ402 ）、その残量値に対応する発光量が、１回目の前記ダイレクト測光値に基づいて算出された本来の２回目の発光量より少ないか多いかの判断が行われる（ステップ403 ）。そして、残量値に対応する発光量が、１回目の測光値に基づいて算出された２回目の発光量より少ない場合には、２回目の撮影時には、その電荷蓄積手段の残量値を全て使って発光させるようにし、その場合の発光量比を新たに算出して設定し、その再設定された発光量比に対応して、２回目の撮影における遮光手段（メカシャッタ）などによる露光時間を調整して露光量比が等しくなるように設定して（ステップ404 ）、２回目のストロボ発光を行う（ステップ405 ）。なお、上記ステップ403 の判断において、電荷蓄積手段残量値に対応する発光量が、１回目の測光値に基づいて算出された２回目の発光量より多い場合には、上記第６の実施の形態と同様に、１回目の測光値に基づいて算出された２回目の発光量で、２回目のストロボ発光を行うようにする。
【００４３】
なお、上記第７の実施の形態においては、２回目の撮影におけるストロボ光の発光量を、測光素子を用いて行った１回目の発光のダイレクト測光による発光量に基づいて算出するようにしたもの、すなわち１回目の撮影時の発光のみを実測し２回目の撮影時の発光は計算により算出するようにしたものを示したが、１回目及び２回目の発光を実測し、その実測発光量比に対応させて通常光による露光量比を等しく設定することもできる。すなわち、キセノン発光管を予め設定された発光量比に設定して１回目の撮影時の後半のタイミング及び２回目の撮影時の前半のタイミングで発光させ、測光素子により２回のストロボ発光量比を測定し、その実測発光量比に対応するように、２回目の撮影時における撮像素子の光電荷蓄積時間を設定する。これによりストロボ発光量のばらつきによる影響を一層低減することができる。
【００４４】
上記各実施の形態において、キセノン発光管の発光量を実測するステップを含む実施の形態においては、キセノン発光管の発光量は外部測光素子による測定ばかりでなく、電荷蓄積手段の電圧値の実測値に基づいて測定することが可能であり、この場合は、外部測光素子を設ける必要がなく、電荷蓄積手段の充電回路の電圧測定手段を兼用できる。また、上記各実施の形態において、キセノン発光管の発光量を制御するステップ（調光制御）を含む実施の形態においては、いずれの調光制御もキセノン発光管の発光時間の制御や、外部測光素子によるダイレクト測光制御や、電荷蓄積手段の電圧測定による制御を選択に用いて行うことができるものである。
【００４５】
更に、上記各実施の形態において、キセノン発光管又は電荷蓄積手段の少なくとも一方が複数である実施の形態においては、１回の発光で複数のキセノン発光管又は複数の電荷蓄積手段を制御して発光することが可能であり、また１回目に使用したキセノン発光管又は電荷蓄積手段を再度使用することも可能である。
【００４６】
以上実施の形態について説明したが、請求項１〜請求項５に示した態様以外の本発明の態様をまとめて示すと、次の通りである。
（１）請求項２記載の電子カメラにおいて、前記２回の撮影における通常光による露光量比は、該２回の撮影における前記撮像手段の光電荷蓄積時間比で設定されるように構成されていることを特徴とする。このように構成することにより、２回の撮影における通常光による露光量比と閃光発光手段の光による発光量比を等しく設定する場合において、通常光による露光量比を容易に設定することができる。
（２）撮影対象である被写体の光学像を結像する光学手段と、該光学手段で結像された被写体像を撮影し光電変換することにより撮像信号を生成する撮像手段と、被写体に対し光を照射する閃光発光手段と、前記撮像手段における露光条件を特定する露光条件特定手段と、該露光条件特定手段で特定された露光条件により前記撮像手段で別々に２回撮影した２つの撮像信号を合成する撮像信号合成手段と、前記２回の撮影の際に各撮影に関する露光条件に連係して前記閃光発光手段の発光を制御する閃光発光制御手段とを有する電子カメラにおいて、前記閃光発光手段は該閃光発光手段の発光エネルギーを蓄積する単一の電荷蓄積手段を備え、該閃光発光手段の２回の撮影における発光の発光量の合計が、前記単一の電荷蓄積手段の発光エネルギー総和以下に設定されていることを特徴とする。これにより、２回の撮影に閃光発光手段による光を用いる場合に、単一の電荷蓄積手段の充電電荷を有効に利用することができる。
（３）請求項１又は２記載の電子カメラにおいて、前記閃光発光手段は該閃光発光手段の発光エネルギーを蓄積する容量値を異にする複数の電荷蓄積手段を備え、２回の撮影において、複数の電荷蓄積手段をそれぞれ使用する合計の容量値を異にするように選択的に用いて、いずれも閃光発光手段をフル発光させるように構成されていることを特徴とする。このように２回の撮影において、閃光発光手段をフル発光させることにより、発光量制御（調光制御）を必要とすることなく精度のよい発光量比の撮像信号を得ることができる。
（４）請求項１又は２記載の電子カメラにおいて、複数の電荷蓄積手段の、一方の単一又は複数の電荷蓄積手段を用いたフル発光による小発光で一方の撮影を行い、他方の単一又は複数の電荷蓄積手段を用いた調光制御された発光による大発光で他方の撮影を行うように構成されていることを特徴とする。このように構成することにより、小発光はフル発光で調光制御の必要がなく精度よく発光させることができ、大発光は調光発光させるようにしているので発光量比を任意に設定することができる。
（５）請求項１又は２記載の電子カメラにおいて、複数の電荷蓄積手段の、一方の単一又は複数の電荷蓄積手段を用いた調光制御された発光による小発光で一方の撮影を行い、他方の単一又は複数の電荷蓄積手段を用いたフル発光による大発光で他方の撮影を行うように構成されていることを特徴とする。これにより、小発光は調光発光させるようにしているので発光量比を任意に設定することができ、大発光はフル発光で調光制御の必要がなく精度よく発光させることができる。
（６）撮影対象である被写体の光学像を結像する光学手段と、該光学手段で結像された被写体像を撮影し光電変換することにより撮像信号を生成する撮像手段と、被写体に対し光を照射する閃光発光手段と、前記撮像手段における露光条件を特定する露光条件特定手段と、該露光条件特定手段で特定された露光条件により前記撮像手段で別々に２回撮影した２つの撮像信号を合成する撮像信号合成手段と、前記２回の撮影の際に各撮影に関する露光条件に連係して前記閃光発光手段の発光を制御する閃光発光制御手段とを有する電子カメラにおいて、前記閃光発光手段は該閃光発光手段の発光エネルギーを蓄積する少なくとも１つの電荷蓄積手段を備え、２回の撮影をいずれも調光制御された発光による小発光及び大発光を照射して行うように構成されていることを特徴とする。このように２回の撮影にいずれも調光発光を用い、フル発光を用いていないので個別の閃光発光手段を必ずしも必要とせず、発光量比をより自由な値に設定することができる。
（７）前記（４）〜（６）記載の電子カメラにおいて、前記調光制御は、前記閃光発光手段の発光時間の制御により行われるように構成されていることを特徴とする。このようにして調光制御を行うことにより、測光手段を必要とせずに精度のよい発光量の設定を行うことかできる。
（８）前記（４）〜（６）記載の電子カメラにおいて、測光手段を備え、前記調光制御は、前記測光手段のダイレクト測光による所定発光量の検知に基づいて行われるように構成されていることを特徴とする。このようにして調光制御を行う場合は、実際の発光量を測定することができ、被写体の反射率に応じた必要な発光量に調光することができる。
（９）前記（４）〜（６）記載の電子カメラにおいて、前記調光制御は、電荷蓄積手段の所定電圧の測定検知に基づいて行われることを特徴とする。このように構成することにより、測光手段を用いることなく調光制御を行うことができ、また調光制御のための電荷蓄積手段の電圧測定手段は電荷蓄積手段の充電回路の電圧測定手段と兼用することができる。
（10）前記（４）〜（６）記載の電子カメラにおいて、２回目の撮影において閃光発光手段の調光を行う場合、１回目の撮影の閃光発光手段の光の発光量を測定し、測定された発光量に基づいて、予め設定された２回の撮影における閃光発光手段の発光量比に対応するように、２回目の閃光発光手段の調光発光量を設定するように構成されていることを特徴とする。このように構成することにより、閃光発光手段の１回目の発光量のばらつきを実測し、そのばらつきを２回目の調光発光量の設定において補正して吸収できるので、発光量比の精度を向上させることができる。
（11）前記（10）記載の電子カメラにおいて、測光手段を備え、１回目の撮影における閃光発光手段の発光量は、前記測光手段によるダイレクト測光により測定されるように構成されていることを特徴とする。このように構成することにより、１回目の閃光発光手段による実際の発光を測定することができ、被写体の反射率に応じた必要発光量を得て、精度よく２回目の発光量を設定することができる。
（12）前記（10）記載の電子カメラにおいて、１回目の撮影における閃光発光手段の発光量は、前記電荷蓄積手段の電圧測定により求めるように構成されていることを特徴とする。このように構成することにより、測光手段を用いることなく１回目の閃光発光手段の発光量を測定することができ、また発光量測定のための電荷蓄積手段の電圧測定手段は、該電荷蓄積手段の充電回路の電圧測定手段と兼用することができる。
（13）請求項２記載の電子カメラにおいて、前記閃光発光手段の発光量を測定し、その発光量に基づいて発光量比を求め、その発光量比に等しくなるように通常光による露光量比を設定することを特徴とする。このように構成することにより、閃光発光手段の発光量のばらつきを吸収して正確な発光量比を求めることができ、その発光量比に等しく露光量比を設定することにより、発光量比と露光量比とを正確に一致させた高画質の合成画像が得られる。
（14）前記（13）記載の電子カメラにおいて、１回目の撮影における閃光発光手段の発光量を測定し、２回目の発光量は１回目の発光量に基づいて計算により算出し、発光量比を求めることを特徴とする。１回目の発光量のみの測定で発光量比を求めることができ、２回目の発光前に露光量比を決定することができる。
（15）前記（13）記載の電子カメラにおいて、１回目及び２回目の撮影における閃光発光手段の発光量を測定して発光量比を求めることを特徴とする。このように構成することにより、実際の発光結果に基づいたより正確な発光量比が得られる。
（16）前記（13）〜（15) 記載の電子カメラにおいて、測光手段を備え、前記閃光発光手段の発光量は、前記測光手段によるダイレクト測光により測定されるように構成されていることを特徴とする。このように構成することにより、閃光発光手段による実際の発光を容易に測定することができ、被写体の反射率に応じた必要な発光量を得て、精度よく発光量比を求めることができる。
（17）前記（13）〜（15) 記載の電子カメラにおいて、前記閃光発光手段の発光量は、前記電荷蓄積手段の電圧測定により求めるように構成されていることを特徴とする。このように構成することにより、測光手段を用いることなく閃光発光手段の発光量を測定することができ、また発光量測定のための電荷蓄積手段の電圧測定手段は、該電荷蓄積手段の充電回路の電圧測定手段と兼用することができる。
（18）撮影対象である被写体の光学像を結像する光学手段と、該光学手段で結像された被写体像を撮影し光電変換することにより撮像信号を生成する撮像手段と、被写体に対し光を照射する閃光発光手段と、前記撮像手段における露光条件を特定する露光条件特定手段と、該露光条件特定手段で特定された露光条件により前記撮像手段で別々に２回撮影した２つの撮像信号を合成する撮像信号合成手段と、前記２回の撮影の際に各撮影に関する露光条件に連係して前記閃光発光手段の発光を制御する閃光発光制御手段とを有する電子カメラにおいて、前記閃光発光手段は１個のキセノン発光管と１個の電荷蓄積手段とからなり、１個のキセノン発光管と１個の電荷蓄積手段とを用いて、２回の撮影時に発光させるように構成されていることを特徴とする。このように構成することにより、回路規模の小さい閃光発光手段を構成することができる。
（19）請求項１又は２記載の電子カメラにおいて、前記閃光発光手段は１個のキセノン発光管と複数の電荷蓄積手段と電荷蓄積手段切替え手段とからなり、１個のキセノン発光管と電荷蓄積手段切替え手段により切り替え選択された少なくとも１個の電荷蓄積手段を用いて、２回の撮影時に発光させるように構成されていることを特徴とする。このように構成した場合、電荷蓄積手段が複数個設けられているので、小発光又は大発光のそれぞれに専用の電荷蓄積手段を用いて個別に制御が可能であり、各発光を独立して行えるので相互の影響を受けずに、高精度の発光制御を行うことができる。
（20）撮影対象である被写体の光学像を結像する光学手段と、該光学手段で結像された被写体像を撮影し光電変換することにより撮像信号を生成する撮像手段と、被写体に対し光を照射する閃光発光手段と、前記撮像手段における露光条件を特定する露光条件特定手段と、該露光条件特定手段で特定された露光条件により前記撮像手段で別々に２回撮影した２つの撮像信号を合成する撮像信号合成手段と、前記２回の撮影の際に各撮影に関する露光条件に連係して前記閃光発光手段の発光を制御する閃光発光制御手段とを有する電子カメラにおいて、前記閃光発光手段は複数のキセノン発光管と１個の電荷蓄積手段とキセノン発光管切替え手段とで構成され、前記キセノン発光管切替え手段により切り替え選択された少なくとも１個のキセノン発光管と、１個の電荷蓄積手段を用いて、２回の撮影時に発光させるように構成することを特徴とする。このように構成することにより、キセノン発光管が複数個設けられているので、２回の撮影における連続発光の相互影響が全くなく、したがって発光間隙を考慮せずにそれぞれ高精度の発光を行うことができる。
（21）請求項１又は２記載の電子カメラにおいて、前記閃光発光手段は複数のキセノン発光管と複数の電荷蓄積手段とキセノン発光管切替え手段と電荷蓄積手段切替え手段とで構成され、前記キセノン発光管切替え手段により切り替え選択された少なくとも１個のキセノン発光管と、電荷蓄積手段切替え手段により切り替え選択された少なくとも１個の電荷蓄積手段を用いて、２回の撮影時に発光させるように構成することを特徴とする。このように構成することにより、電荷蓄積手段が複数個設けられているので、小発光又は大発光のそれぞれに専用の電荷蓄積手段を用いて個別に制御が可能であり、各発光を独立して行えるので相互の影響にとらわれない。またキセノン発光管を複数個備えているので、２回の連続発光の相互影響が全くなく、発光間隔を考慮せずにそれぞれ高精度の発光を行うことができる。
（22）前記（18）又は（20) 記載の電子カメラにおいて、前記電荷蓄積手段は一個のメインコンデンサで構成されていることを特徴とする。このように構成することにより回路規模を小さくすることができる。
（23）前記（19）又は（21) 記載の電子カメラにおいて、前記電荷蓄積手段は並列接続された複数のメインコンデンサで構成されていることを特徴とする。このように構成することにより単一のメインコンデンサの容量を小さくでき、製造が容易であり、また例えばそれぞれのメインコンデンサ容量を同じ容量のものにして、小発光用に使用するコンデンサ数と大発光用に使用するコンデンサ数の比を発光量比（＝露光量比）と等しくすれば、同じ発光時間で必要とする発光量比を制御できるので、制御が簡単になる。
（24）請求項１又は２記載の電子カメラにおいて、２回の撮影における閃光発光手段の各発光は、それぞれ単一の発光であることを特徴とする。このように２回の撮像における各発光をそれぞれ単一の発光で行うことにより、発光制御が容易で発光量のばらつきを低減することができる。
（25）請求項１又は２記載の電子カメラにおいて、２回の撮影における閃光発光手段の各発光は、１回の単位発光と複数回の単位発光の集合、あるいはそれぞれ複数回の単位発光の集合であることを特徴とする。このように構成することにより、各単位発光の発光量を一定にすることで、発光単位数の比が必要とする任意の発光量比（露光量比）となるので、発光量比を発光単位数で管理できるという利点が得られる。また、更に発光量測定手段を設けて、複数の単位発光の集合の中の各単位発光毎に発光量を測定し、合計の発光量を調整制御することで、精度のよい発光量比を得ることができる。
（26）請求項１又は２記載の電子カメラにおいて、２回の撮影における閃光発光手段の各発光は、小発光と大発光の順に行われるように構成されていることを特徴とする。このように小発光を先に行うことにより、大発光開始時の電荷蓄積手段を構成するメインコンデンサの電圧低下が比較的少なく、大発光の発光量の管理が容易であり、その結果発光量比の精度を向上させることができる。また、２回の発光を同じ閃光発光手段で連続的に行う場合には、２回の発光に相互の影響が若干現れるが、この影響は発光絶対値が大きいほど大きな影響として現れるので、先に小発光を行うことにより、その影響を極力小さく抑えることが可能となる。
（27）請求項５記載の電子カメラにおいて、前記測距結果に対応させて制御する発光は小発光であることを特徴とする。小発光は測光素子のダイレクト測光や電荷蓄積手段の電圧測定等に基づくリアルタイム発光制御では、発光のばらつきが抑えづらいが、距離情報に基づいて発光量絶対値を設定して一義的な発光を行うことにより、比較的精度よく発光させることができる。
（28）請求項１又は２記載の電子カメラにおいて、プリ測光手段を備え、前記閃光発光手段の発光は前記プリ測光手段により得られたプリ測光情報を用いて制御されるように構成されていることを特徴とする。このように実際の被写体の明るさを測定するプリ測光情報を用いることにより、被写体の明るさに応じた光量の発光量の絶対値が得られ、距離情報を用いることなく高精度で発光量の絶対値を設定することができる。
（29）請求項１又は２記載の電子カメラにおいて、プリ測光手段を備え、前記閃光発光手段をプリ発光させることにより前記プリ測光手段で得られるプリ測光情報を用いて、前記閃光発光手段の発光を制御するように構成されていることを特徴とする。このように更に実際に閃光発光手段の発光を伴ったプリ測光情報に基づいて発光量を設定するようにしているので、より高精度の発光量の絶対値を得ることができる。
（30）前記（28）又は（29) 記載の電子カメラにおいて、前記プリ測光手段は外部測光手段で構成することを特徴とする。このように構成することにより、実際の被写体の測光情報を用いて被写体の明るさに応じた光量の発光量の絶対値を得ることができ、またプリ測光手段の外部測光手段は、閃光発光手段の発光の測光手段と兼用することができる。
（31）前記（28）又は（29) 記載の電子カメラにおいて、前記プリ測光手段は前記撮像手段を兼用していることを特徴とする。このように構成することにより、別個の外部測光手段を必要とせず、実際の被写体の測光情報を用いて被写体の明るさに応じた光量の発光量の絶対値を得ることができる。
【００４７】
【発明の効果】
以上実施の形態に基づいて説明したように、請求項１記載の発明によれば、閃光発光を用いた場合においても、画面全体に亘って所定の露光量比の２つの撮像信号を容易に生成することができ、また画面全体に亘って均一なホワイトバランスのとれた合成画像が得られ、更に、２回目の撮影において、閃光発光手段の必要とする発光量比を、同じ発光時間で制御することが可能となり、制御の簡単な電子カメラを実現することができる。請求項２記載の発明によれば、２つの撮像信号において、通常光による露光が支配的な領域、及び閃光発光による露光が支配的な領域における露光量比が変わらず、高画質の合成画像を形成することができる。請求項３記載の発明によれば、測光手段で被写体の反射率に基づいた実際の発光量が得られ、発光量比の精度を向上させることができる。請求項４記載の発明によれば、１回目の閃光発光手段の発光のばらつきを吸収した発光量で２回目の閃光発光手段の発光ができ、発光量比の設定の精度を改善することができる。請求項５記載の発明によれば、距離情報により発光時間等を制御することができ、小発光の発光量を精度よく設定することができる。
【図面の簡単な説明】
【図１】  本発明に係る電子カメラの第１の実施の形態の全体構成を示すブロック構成図である。
【図２】  図１におけるストロボ機構の概略構成を示すブロック構成図である。
【図３】  図２に示したストロボ機構における電荷蓄積手段の構成例を示すブロック構成図である。
【図４】  本発明の第１の実施の形態の動作を説明するためのフローチャートである。
【図５】  本発明の第２の実施の形態に用いるストロボ機構の構成例を示すブロック構成図である。
【図６】  本発明の第３の実施の形態に用いるストロボ機構の構成例を示すブロック構成図である。
【図７】  第３の実施の形態に用いるストロボ機構の他の構成例を示すブロック構成図である。
【図８】  第３の実施の形態に用いるストロボ機構の更に他の構成例を示すブロック構成図である。
【図９】  第３の実施の形態に用いるストロボ機構の更に他の構成例を示すブロック構成図である。
【図10】  第３の実施の形態に用いるストロボ機構の更に他の構成例を示すブロック構成図である。
【図11】  第３の実施の形態に用いるストロボ機構の更に他の構成例を示すブロック構成図である。
【図12】  本発明の第４の実施の形態に用いるストロボ機構関連部分の構成例を示すブロック構成図である。
【図13】  第４の実施の形態の動作を説明するためのフローチャートである。
【図14】  本発明の第５の実施の形態に用いるストロボ機構関連部分の構成例を示すブロック構成図である。
【図15】  本発明の第６の実施の形態に用いるストロボ機構関連部分の構成例を示すブロック構成図である。
【図16】  第６の実施の形態の動作を説明するためのフローチャートである。
【図17】  本発明の第７の実施の形態に用いるストロボ機構関連部分の構成例を示すブロック構成図である。
【図18】  第７の実施の形態の動作を説明するためのフローチャートである。
【符号の説明】
１  ＣＣＤ撮像素子
２  レンズ
３  絞り・シャッタ機構
４  アンプ
５  Ａ／Ｄ変換器
６  カメラ信号処理回路
７  ＡＥ，ＡＦ，ＡＷＢ検波回路
８  ＣＰＵ
９  圧縮回路
10  メモリコントローラ
11  ＤＲＡＭ
12  表示回路
13  ＬＣＤ
14  メモリカードＩ／Ｆ
15  メモリカード
16  パソコンＩ／Ｆ
17  パソコン
18  タイミングジェネレータ
19  ストロボ機構
21，21ａ，21ｂ，21ｃ，21ｄ  キセノン発光管
22，22ａ，22ｂ，22ｃ，22ｄ  発光制御回路
23，23ａ，23ｂ，23ｃ，23ｄ  電荷蓄積手段
24  充電回路
25  電源
26，26ａ，26ｂ  電荷蓄積手段切り替えスイッチ
27  外部測光素子
28  積分回路
29  測距素子
30，30ａ，30ｂ  キセノン発光管切り替えスイッチ
【図１】
0004015260.tif 000002
【図２】
0004015260.tif 000003
【図３】
0004015260.tif 000004
【図４】
0004015260.tif 000005
【図５】
0004015260.tif 000006
【図６】
0004015260.tif 000007
【図７】
0004015260.tif 000008
【図８】
0004015260.tif 000009
【図９】
0004015260.tif 000010
【図１０】
0004015260.tif 000011
【図１１】
0004015260.tif 000012
【図１２】
0004015260.tif 000013
【図１３】
0004015260.tif 000014
【図１４】
0004015260.tif 000015
【図１５】
0004015260.tif 000016
【図１６】
0004015260.tif 000017
【図１７】
0004015260.tif 000018
【図１８】
0004015260.tif 000019